(57)【要約】【課題】  装置の組立て及び測定が容易で、リアルタイムにガスの漏洩を監視することができ、温度変化の影響を受けることもない漏洩点検治具を提供する。【解決手段】  漏洩点検対象物に取り付けられるカバー部３と、カバー部３から漏れ出たガスを採取して収集する漏洩ガス収集部４とを備える漏洩点検治具２。漏洩ガス収集部４は、伸縮性材料で形成することができる。カバー部３に筐体９を設け、筐体９内で、漏洩ガス収集部４の先端に導電体１３を設け、筐体９内に電気接点部１５を露出させて発光体１０と接続し、導電体１３及び電気接点部１５を導線１４、１６を介して電源１１と接続し、カバー部３を介して漏洩ガス収集部４にガスが収集された場合には、漏洩ガス収集部４が膨張し、導電体１３と電気接点部１５とが当接し、発光体１０が発光するようにして、より漏洩の発見を容易にすることができる。【選択図】  図１
2005083910.tif 000002
【特許請求の範囲】
【請求項１】
漏洩点検対象物に取り付けられるカバー部と、
該カバー部から漏れ出たガスを採取して収集する漏洩ガス収集部とを備えることを特徴とする漏洩点検治具。
【請求項２】
前記漏洩ガス収集部は、伸縮性材料で形成されることを特徴とする請求項１記載の漏洩点検治具。
【請求項３】
前記カバー部に装着された筐体と、
該筐体内において、前記漏洩ガス収集部の先端に装着された導電体と、
前記筐体内に露出する電気接点部と、
該電気接点部に接続された発光体と、
前記導電体及び前記電気接点部と導線を介して接続された電源とを備え、
前記カバー部を介して前記漏洩ガス収集部にガスが収集された場合には、該漏洩ガス収集部が膨張し、前記導電体と前記電気接点部とが当接し、前記発光体が発光することを特徴とする請求項１または２記載の漏洩点検治具。
【請求項４】
前記漏洩点検対象物は、人工衛星のスラスタノズルであることを特徴とする請求項１、２または３記載の漏洩点検治具。
【発明の詳細な説明】
【技術分野】
【０００１】
本発明は、漏洩点検治具に関し、特に、人工衛星等宇宙飛翔体の推進系装置等に用いられる漏洩点検治具に関する。
【背景技術】
【０００２】
従来の人工衛星等の推進系試験においては、図６に示すように、人工衛星１２のスラスタノズル１に、ノズルカバー部３と、ホース部７と、漏洩試験装置８とで構成された試験装置を接続し、人工衛星１２のスラスタノズル１の上流に位置する推薬弁が閉状態にあるときに、ガスが漏洩していないかどうかを確認している。ガスが漏洩している場合には、漏洩したガスがホース部７等の内部の大気を押し、漏洩試験装置８の内部の細管の中に収容した液胞を移動させ、経過時間と液胞の移動量により漏洩量を計算している。この漏洩試験は、衛星推進系の製造から打ち上げまでの間、年に１、２回程度行っている。
【発明の開示】
【発明が解決しようとする課題】
【０００３】
しかし、上記従来の技術においては、第１に、衛星推進系試験には、特殊な試験装置が多く使用されているため、専門の技術者でないと、清浄度の厳しい人工衛星の推進系試験を問題なく実施するのは困難であった。また、漏洩試験装置８は、特に取り扱いが難しく、大気、温度、空調等の影響を受けやすいため、漏洩試験装置８を取り扱っている専門の技術者でなければ、装置の組立て及び測定が困難であるという問題があった。
【０００４】
第２に、上記衛星推進系の試験は、推進系の専門の技術者に支援を依頼する必要があるため、大規模な試験となり、また、衛星システムとのスケジュールの関係から試験回数に制限があり、衛星推進系の製造から打上げまでの間、年に１、２回程度となる。従って、リアルタイムに監視することができず、異常の発見が極端に遅れる可能性があるという問題があった。また、漏洩時期を限定することができないため、原因究明が困難であるとい
う問題があった。
【０００５】
第３に、上記試験を実施することができないときには、衛星に電気試験装置を接続し、圧力検出器を用いて推進系内の圧力を電気信号に変換した値をモニタし、圧力降下によってガスの漏洩の有無を判断する方法があるが、圧力降下の要因がガスの漏洩によるものか、または、温度変化による試験装置の誤差であるのかを判断するのが困難であった。
【０００６】
そこで、本発明は、上記従来の技術における問題点に鑑みてなされたものであって、装置の組立て及び測定が容易で、リアルタイムにガスの漏洩を監視することができ、温度変化の影響を受けることもない漏洩点検治具を提供することを目的とする。
【課題を解決するための手段】
【０００７】
上記目的を達成するため、本発明は、漏洩点検治具であって、漏洩点検対象物に取り付けられるカバー部と、該カバー部から漏れ出たガスを採取して収集する漏洩ガス収集部とを備えることを特徴とする。
【０００８】
そして、本発明によれば、漏洩ガス収集部にガスが採取、収集された場合には、漏洩点検対象物からガスが漏れていると判断することができるため、リアルタイムに漏洩を確認することができ、異常時を早期に発見し、製品の保護、改修、他への波及抑制等を素早く行うことができ、装置の信頼性向上、安全性向上等を図ることができる。また、漏洩ガスを直接採取して漏洩を判断することができるため、間接的に漏洩を判断する圧力検出器による圧力降下方法に比べ、漏洩の判断を確実に行うことができる。
【０００９】
また、本発明にかかる漏洩点検治具は、カバー部と、漏洩ガス収集部とで構成されるため、取り扱いが容易で、漏洩試験装置の小型化、生産性、保守性の向上を図ることができる。漏洩の判断が一目瞭然であるため専門の技術者でなくてもよく、試験の効率化及びコスト低減を図ることができる。
【００１０】
前記漏洩点検治具の漏洩ガス収集部を伸縮性材料で形成することができる。また、伸縮性材料を用いずに、漏洩ガス収集部にガスが流入した場合に、漏洩ガス収集部が膨張するような構成とすることもできる。
【００１１】
さらに、本発明は、前記漏洩点検治具において、カバー部に装着された筐体と、該筐体内において、前記漏洩ガス収集部の先端に装着された導電体と、前記筐体内に露出する電気接点部と、該電気接点部に接続された発光体と、前記導電体及び前記電気接点部と導線を介して接続された電源とを備え、前記カバー部を介して前記漏洩ガス収集部にガスが収集された場合には、該漏洩ガス収集部が膨張し、前記導電体と前記電気接点部とが当接し、前記発光体が発光するようにすることができる。これによって、ガスの漏洩があると、発光体が発光するため、簡単に漏洩を発見することができる。
【００１２】
前記漏洩点検対象物を、人工衛星のスラスタノズルとすることができる。これによって、従来、年間１、２回しか行うことができなかった漏洩試験を、リアルタイムに行うことができ、異常発生時期の限定（不具合原因究明の精度向上）、異常発生の早期処理（製品損傷拡大の防止、他機器への波及制御）が可能となる。また、従来は、振動試験等の機械環境試験時には漏洩の監視が不可能であったが、本発明の漏洩点検治具をスラスタノズルに装着することにより、漏洩が生じる可能性の高い本試験中でも監視が可能になる。さらに、漏洩の判断に温度変換による影響を受けることもない。
【発明の効果】
【００１３】
以上説明したように、本発明によれば、装置の組立て及び測定が容易で、リアルタイムにガスの漏洩を監視することができ、温度変化の影響を受けることもない等の利点を有する漏洩点検治具を提供することができる。
【発明を実施するための最良の形態】
【００１４】
図１及び図２は、本発明にかかる漏洩点検治具の一実施の形態を示し、この漏洩点検治具は、例えば、衛星推進系試験のガスの漏洩を試験するために用いられる。人工衛星のスラスタノズル１は、人工衛星の姿勢制御等のために推力を排出する箇所であり、上流側に位置する推薬弁で噴射／停止の制御を行っている。そして、地上での試験においては、人工衛星推進系タンク、配管内にガスを封入し、推薬弁を閉じた状態でガスの漏洩がないかをスラスタノズル１を介して確認している。
【００１５】
漏洩点検治具２は、ノズルカバー部３と漏洩ガス収集部４とで構成される。ノズルカバー部３は、スラスタノズル１に取り付けられるとともに、スラスタノズル１の解放部を封印できる形状と伸縮性を備える。ノズルカバー部３の略々中心部には、穴部３ａが穿設され、この穴部３ａを包むように漏洩ガス収集部４が接続されている。漏洩ガス収集部４は、ガスが封入されると膨らむ構造とするか、伸縮性材料等で構成することができる。
【００１６】
人工衛星の試験作業者は、人工衛星のすべてのスラスタノズル１に漏洩点検治具２を取り付ける。漏洩点検治具２の取り付けを行う際、漏洩ガス収集部４のガス抜き（収集部を絞るまたは丸める等の空気抜き）を行う。これにより漏洩ガス収集部４は萎縮した状態で取り付けられる。
【００１７】
もし、人工衛星の推薬弁等からガスが漏洩した場合には、漏洩したガスがスラスタノズル１の内部に溜まりノズルカバー部３の穴部３ａを通って漏洩ガス収集部４に封入される。これにより、図３に示すように、漏洩ガス収集部４が膨らみ、ガスの漏洩を確認することができる。
【００１８】
本発明の他の実施の形態として、図４に示す漏洩点検治具は、配管５の継ぎ手部等からのガスの漏洩を点検するためのものであって、図１乃至図３に示したノズルカバー部３に代えて、配管カバー部６を設けている。そして、漏洩ガス収集部４によって、配管カバー部６からの漏洩ガスを採取し、収集する。これにより、ガスの配管からの漏洩の監視も可能となる。
【００１９】
また、本発明の他の実施の形態として、図５に示すように、ノズルカバー部３に小型ボックス部９を設け、発光体１０を接続する。小型ボックス部９内には、小型の漏洩ガス収集部４が設けられ、先端に導電体１３と導線１４を貼り付ける。また、発光体１０の電気接点部１５を小型ボックス部９内に露出させ、導線１６で小型ボックス部９の外部に設けた小型電池１１に接続する。これにより、ガスの漏洩が生じた場合には、小型の漏洩ガス収集部４が膨らみ、先端の導電体１３が発光体１０の電気接点部１５と接触して発光体１０が発光し、漏洩があることを知らせることができる。
【００２０】
尚、上記構成において、ノズルカバー部３は、振動試験や音響試験でも耐えられるような落下防止用のバンドを有するようにしてもよい。
【図面の簡単な説明】
【００２１】
【図１】本発明にかかる漏洩点検治具の一実施の形態を示す断面図である。
【図２】図１の漏洩点検治具の外観図である。
【図３】図１の漏洩点検治具のガス漏洩時の状態を示す断面図である。
【図４】本発明にかかる漏洩点検治具のもう一つの実施の形態を示す正面図である。
【図５】本発明にかかる漏洩点検治具のもう一つの実施の形態を示す断面図である。
【図６】従来の人工衛星推進系漏洩試験装置の一例を示す概略図である。
【符号の説明】
【００２２】
１       スラスタノズル
２       漏洩点検治具
３       ノズルカバー部
４       漏洩ガス収集部
５       配管
６       配管カバー部
７       ホース部
８       漏洩試験装置
９       小型ボックス部
１０     発光体
１１     小型電池
１２     人工衛星
１３     導電体
１４     導線
１５     電気接点部
１６     導線
【図１】
2005083910.tif 000003
【図２】
2005083910.tif 000004
【図３】
2005083910.tif 000005
【図４】
2005083910.tif 000006
【図５】
2005083910.tif 000007
【図６】
2005083910.tif 000008